(57)【要約】【課題】直列接続した複数本の電池を内蔵するにもかかわらず、全体の高さを小さくすることができ、全体をコンパクトな構造とし、かつ、その見栄えも向上することができるコードレス灯火装置の提供。【解決手段】本体ケース４０の内部に、支持部３０、電池収容部１０及びソケット部２０を同軸状に配置する。電池収容部１０の高さを電池１本分の高さに相当する高さとし、３本の乾電池Ｂを隣接配置すべく、３個の保持部１３，１４，１５を設ける。３本の乾電池Ｂを回路部３１により直列接続して４．５Ｖの電源電圧を確保し、同電源電圧を制限抵抗で降圧して発光ダイオード７０の定格電圧に合わせる。【選択図】図１
2011165482.tif 000002
【特許請求の範囲】
【請求項１】
照明対象物の光源設置部に下端部を着脱自在に固定して設置されて上方に延びる全体としてろうそく疑似形状を有し、内部に電源としての電池を内蔵すると共に、上端部に発光素子を配設して前記電源により当該発光素子を発光駆動するコードレス灯火装置であって、
照明対象物の光源設置部から上方に延びる筒状をなす基部と、
前記基部の上端側に配設され、所定の定格電圧及び所定の定格電流を有する発光素子と、
前記基部の内部に設けられ、直列接続することにより前記発光素子の定格電圧以上の総電圧を発生する所定本数の複数本の電池を収容保持自在な電池収容部と、
前記電池収容部に収容保持した前記複数本の電池を直列接続して前記発光素子の定格電圧以上の総電圧を発生する電源を構成すると共に、前記電源の両極の端子間に前記発光素子を直列接続する電気回路とを備え、
前記電気回路は、更に、前記電源の総電圧を制限して前記発光素子の定格電圧近辺の電圧とする電圧制限手段を備え、
前記電池収容部は、１本の前記電池に相当する高さを有して前記基部内を上下方向に延びる収容空間と、前記複数本の電池を前記収容空間で互いに隣接するよう当該収容空間の周方向及び／または放射方向に並設した状態で保持する保持部とを備えることを特徴とするコードレス灯火装置。
【請求項２】
更に、前記電池収容部の上端に配設されて上方に所定高さで延び、前記発光素子を上端部に実装するソケット部を備え、
前記ソケット部として、異なる高さの複数のソケット部を用意し、
前記電池収容部の高さを一定とすると共に、前記ソケット部として前記複数のソケット部のいずれか一つを選択して前記電池収容部の上端に配設して前記ソケット部の高さを変更することにより、前記発光素子の発光部の高さ位置が、前記照明対象物に固有の最適光源高さ範囲内となるようにしたことを特徴とする請求項１記載のコードレス灯火装置。
【請求項３】
前記照明対象物は提灯の火袋であり、
前記照明対象物の光源設置部は前記火袋の下端に配設される提灯の基台であり、
前記ソケット部として、前記提灯の基台から火袋の高さ方向中間位置までの高さに応じて異なる高さとした複数のソケット部を用意し、
前記電池収容部の高さを一定とすると共に、前記照明対象物としての火袋の高さに応じて、前記ソケット部として前記複数のソケット部のいずれか一つを選択して前記電池収容部の上端に配設して前記ソケット部の高さを変更することにより、前記発光素子の発光部の高さ位置が、前記提灯の火袋の高さ方向中間位置となるようにしたことを特徴とする請求項２記載のコードレス灯火装置。
【請求項４】
更に、前記基部の下端の中心部から下方に同軸状に突出すると共に、前記提灯の火袋の下端の基台の取付孔に挿通して固定自在な所定の突出長を有する固定部材を備え、
前記固定部材として、前記提灯の基台の厚さに応じて異なる突出長とした複数の固定部材を用意し、
前記光源設置部としての提灯の基台の厚さに応じて、前記固定部材として前記複数の固定部材のいずれか一つを選択して前記基台に固定することにより、前記基部を前記基台から上方に立設し、前記発光素子の発光部の高さ位置が前記火袋の高さ方向中間位置となるようにしたことを特徴とする請求項３記載のコードレス灯火装置。
【請求項５】
更に、前記電池収容部の下端側に同軸状に配設されて、前記電池収容部に収容保持した複数本の電池の結線を行う配線を収容する支持部を備え、
前記ソケット部として、所定高さの第１のソケット部と、前記第１のソケット部より大きい高さの第２のソケット部と、前記第２のソケット部より大きい高さの第３のソケット部とを用意し、
前記基部は、前記支持部の下端から前記電池収容部の上端までの全体を外部から覆うと共に、前記第１のソケット部の上端までの全体を外部から覆う高さ寸法を有する筒状の本体ケースであり、
前記本体ケースは、前記ソケット部として前記第２のソケット部または前記第３のソケット部を前記電池収容部の上端に配設した場合は、前記第２のソケット部または前記第３のソケット部の少なくとも下端側の一部の高さ部分を外部から覆うことを特徴とする請求項２乃至４のいずれか１項記載のコードレス灯火装置。
【請求項６】
前記発光素子は、定格電圧が３．１Ｖ〜３．５Ｖの範囲にある発光ダイオードであり、
前記電源は、電圧が１．５Ｖの乾電池を３本直列接続して構成したものであり、
前記電圧制限手段は、前記３本の乾電池による電源の総電圧を前記発光ダイオードの定格電圧の範囲内の所定の電圧となるよう制限する制限抵抗であり、
前記電池収容部は、前記３本の電池を軸方向に互いに平行に延びるよう収容保持すると共に、当該電池収容部の軸芯位置から放射方向に同一間隔だけ離間した３点位置で正三角形の頂点に位置するように前記３本の電池をそれぞれ配置収容すべく、前記保持部を構成したことを特徴とする請求項１乃至５のいずれか１項記載のコードレス灯火装置。
【発明の詳細な説明】
【技術分野】
【０００１】
本発明は、電源として乾電池を内蔵し、乾電池からの電源供給により発光素子を発光するコードレス灯火装置に関し、特に、ろうそくに疑似した外観を有して各種提灯の火袋内に配設されるろうそく型のコードレス灯火装置に関する。
【背景技術】
【０００２】
従来、提灯の火袋内に配設される光源や仏壇に載置される光源として、安全面への配慮から、家庭用の１００Ｖ電源を供給して白熱電球を発光させるタイプの灯火装置が提供されている。一方、この灯火装置は、１００Ｖ電源を供給するためのコード等の取り扱いが面倒になるため、かかる点を改善すべく、灯火装置の内部に電池を内蔵して電池から電源を供給し、白熱電球を発光するタイプの灯火装置も提供されている。この種の灯火装置として、提灯用の灯火装置ではないものの、特許文献１に記載の電子ろうそくがある。特許文献１に記載の電子ろうそくは、仏壇等に載置される光源を提供するものであり、筒状のろうそく本体内に電池を収容すると共に、ろうそく本体の上端にランプカバーを取着し、電池に接続した発光素子をランプカバー内に配設している。ろうそく本体は、ろうそく台に着脱自在に取着され、ろうそく本体をろうそく台に取着したときにスイッチがオンし、ろうそく台から取り外したときにスイッチがオフするようになっている。また、発光素子は、発光ダイオードからなり、電池に対して直列接続されている。
【先行技術文献】
【特許文献】
【０００３】
【特許文献１】特開昭６２−２８１２０２号公報
【発明の概要】
【発明が解決しようとする課題】
【０００４】
ここで、特許文献１に記載の電子ろうそくは、円筒状をなすろうそく本体の長さ方向（設置時の上下方向）に沿って２本の電池を上下に並べて直列接続したいわゆる電池縦置型の構成となっているため、ろうそく本体の長さが２本の電池の長さを合わせた長さにならざるをえず、電子ろうそく全体の高さを低くしてコンパクト化することが困難である。特に、提灯の光源は、提灯のサイズ（特に火袋の上下寸法）に合わせて、できるだけ火袋の高さ方向中央に位置するような高さとすると、火袋全体を均等かつ万遍なく照射して全体の照度を高めると共に発光時の見栄えを向上することができる。したがって、提灯用の光源は、できるだけ火袋の高さ方向中央に位置するような高さとすることが望ましい。しかし、特許文献１に記載の電子ろうそくでは、火袋の高さ方向中央位置が２本の電池の合計高さよりも低くなるような提灯に適用した場合、発光素子の位置が火袋の上側位置となって、火袋全体に均等かつ万遍なく発光照射することができない。一方、電池をろうそく本体に収容するのではなく、別個の電池収容ケースに電池を横置き状態で（水平になるよう）収容することも考えられ、こうすれば、灯火装置の全体の高さを低くすることは可能であるが、この場合、電池の収容ケースが水平方向のスペースをとることになり、やはり、全体をコンパクト化することができない。また、このような水平方向のスペースをとる灯火装置は、そのままでは、通常の提灯において火袋の下端を支持する部材である基台（「つば」または「ロクロ」と呼ばれる部材）に取り付けることが困難であり、取り付けのための特殊な構造を付加する必要があり、コストが上昇する可能性がある。
【０００５】
そこで、本発明は、発光素子として高輝度発光ダイオードを使用する場合において、本来の高輝度発光を可能とする定格電圧近辺の電圧を供給することができるよう、所定の複数本の電池を電気的に直列接続して電源として内蔵する一方で、当該直列接続した複数本の電池を内蔵するにもかかわらず、全体の高さを小さくすることができ、全体をコンパクトな構造とし、かつ、その見栄えも向上することができるコードレス灯火装置の提供を課題とする。
【課題を解決するための手段】
【０００６】
請求項１に係るコードレス灯火装置は、照明対象物の光源設置部に下端部を着脱自在に固定して設置されて上方に延びる全体としてろうそく疑似形状若しくは外観を有し、内部に電源としての電池を内蔵すると共に、上端部に発光素子を配設して前記電源により当該発光素子を発光駆動するコードレス灯火装置である。コードレス灯火装置では、基部が、明対象物の光源設置部から上方に延びる筒状をなしている。また、所定の定格電圧及び所定の定格電流を有する発光素子が、前記基部の上端側に配設されている。また、電池収容部が、前記基部の内部に設けられ、（電気的に）直列接続することにより前記発光素子の定格電圧以上の総電圧を発生する所定本数の複数本の電池を収容保持自在となっている。また、電気回路が、前記電池収容部に収容保持した前記複数本の電池を直列接続して前記発光素子の定格電圧以上の総電圧を発生する電源を構成すると共に、前記（直列接続した複数本の電池により構成される）電源の両極の端子間に前記発光素子を（電気的に）直列接続する。また前記電気回路は、更に、電圧制限手段を有し、前記（直列接続した複数本の電池による電圧の合計である）電源の総電圧を制限（降圧）して前記発光素子の定格電圧近辺の電圧とする。前記電池収容部は、１本の前記電池に相当する高さ（例えば、１本の電池の高さ（軸長）より電池収容部側の正負の両電極の高さ分だけ大きい高さ）を有して前記基部内を上下方向（軸方向）に延びる収容空間を有している。また、電池収容部は、（好ましくは、前記複数本の電池を互いに平行な状態で前記軸方向に延びるよう配置すると共に、）前記複数本の電池を前記収容空間で互いに隣接するよう当該収容空間の周方向及び／または放射方向に並設した状態で保持する保持部を備える。なお、コードレス灯火装置の固定構造は、下端部を光源設置部に着脱自在に固定するものであれば任意の構成とすることができる。
【０００７】
請求項２に係るコードレス灯火装置は、更に、前記電池収容部の上端に配設されて（好ましくは、前記電池収容部と同軸状に）上方に所定高さで延び、前記発光素子を上端部に実装するソケット部を備えている。また、前記ソケット部としては、異なる高さの複数のソケット部が用意される。そして、前記電池収容部の高さを一定とすると共に、前記ソケット部として前記複数のソケット部のいずれか一つを選択して前記電池収容部の上端に配設して前記ソケット部の高さを変更することにより、（前記ソケット部の設定高さによる高さ調節によって）前記発光素子の発光部の高さ位置が、前記照明対象物に固有の最適光源高さ範囲内となるようにしている。
【０００８】
請求項３に係るコードレス灯火装置では、前記照明対象物は提灯の火袋であり、前記照明対象物の光源設置部は前記火袋の下端に配設される提灯の基台である。また、前記ソケット部としては、前記提灯の基台から火袋の高さ方向中間位置までの高さに応じて異なる高さとした複数のソケット部が用意される。そして、前記電池収容部の高さを一定とすると共に、前記照明対象物としての火袋の高さに応じて（即ち、前記提灯の基台から火袋の高さ方向中間位置までの高さに応じて）、前記ソケット部として前記複数のソケット部のいずれか一つを選択して前記電池収容部の上端に配設して前記ソケット部の高さを変更することにより、（前記ソケット部の設定高さによる高さ調節によって）前記発光素子の発光部の高さ位置が、前記提灯の火袋の高さ方向中間位置となるようにしている。
【０００９】
請求項４に係るコードレス灯火装置は、更に、前記基部の下端の中心部から下方に同軸状に突出すると共に、前記提灯の火袋の下端の基台の取付孔に挿通して固定自在な所定の突出長を有する固定部材を備えている。また、前記固定部材としては、前記提灯の基台の厚さに応じて異なる突出長とした複数の固定部材が用意される。そして、前記光源設置部としての提灯の基台の厚さに応じて、前記固定部材として前記複数の固定部材のいずれか一つを選択して前記基台に固定することにより、前記基部を前記基台から上方に立設し、前記発光素子の発光部の高さ位置が前記火袋の高さ方向中間位置となるようにしている。
【００１０】
請求項５に係るコードレス灯火装置は、更に、前記電池収容部の下端側に同軸状に配設されて、前記電池収容部に収容保持した複数本の電池の結線を行う配線を収容する支持部を備えている。また、前記ソケット部としては、所定高さの第１のソケット部と、前記第１のソケット部より大きい高さの第２のソケット部と、前記第２のソケット部より大きい高さの第３のソケット部とが用意される。また、前記基部は、前記支持部の下端から前記電池収容部の上端までの全体を外部から覆うと共に、前記第１のソケット部の上端までの全体を外部から覆う高さ寸法を有する筒状の本体ケースである。そして、前記本体ケースは、前記ソケット部として前記第２のソケット部または前記第３のソケット部を前記電池収容部の上端に配設した場合は、前記第２のソケット部または前記第３のソケット部の少なくとも下端側の一部の高さ部分を外部から覆うようになっている。
【００１１】
請求項６に係るコードレス灯火装置は、前記発光素子は、定格電圧が３．１Ｖ〜３．５Ｖの範囲にある発光ダイオードである。前記電源は、電圧が１．５Ｖの乾電池を３本直列接続して構成したものである。また、前記電圧制限手段は、前記３本の乾電池による電源の総電圧を前記発光ダイオードの定格電圧の範囲内の所定の電圧となるよう制限する制限抵抗である。また、前記電池収容部は、前記３本の電池を軸方向に互いに平行に延びるよう収容保持すると共に、当該電池収容部の軸芯位置から放射方向に同一間隔だけ離間した３点位置で正三角形の頂点に位置するように前記３本の電池をそれぞれ配置収容すべく、前記保持部を構成している。
【発明の効果】
【００１２】
本発明に係るコードレス灯火装置は、発光素子として高輝度発光ダイオードを使用する場合において、本来の高輝度発光を可能とする定格電圧近辺の電圧を供給することができるよう、所定の複数本の電池を電気的に直列接続して電源として内蔵する一方で、当該直列接続した複数本の電池を内蔵するにもかかわらず、全体の高さを小さくすることができ、全体をコンパクトな構造とし、かつ、その見栄えも向上することができる。また、本発明に係るコードレス灯火装置は、発光素子として高輝度発光ダイオードを使用した場合でも、制限抵抗により電源電圧を調整または制御することにより、高輝度発光ダイオード本来の高い発光効率を長期間にわたって維持して本来の高輝度発光を可能にすると共に、高輝度発光による発光効率の低下や発光寿命の短縮を最低限に抑制することができる。
【図面の簡単な説明】
【００１３】
【図１】図１は本発明の実施の形態１に係るコードレス灯火装置の全体を示す正面図である。
【図２】図２は本発明の実施の形態１に係るコードレス灯火装置において本体ケースを取り外して内部構造を示す正面図である。
【図３】図３は本発明の実施の形態１に係るコードレス灯火装置の電子収容部の内部構造を上面側から見て示す平面図である。
【図４】図４は本発明の実施の形態１に係るコードレス灯火装置のソケット部に発光素子を装着した状態を上面側から見て示す平面図である。
【図５】図５は本発明の実施の形態１に係るコードレス灯火装置のソケット部から発光素子を取り外した状態を上面側から見て示す平面図である。
【図６】図６は本発明の実施の形態１に係るコードレス灯火装置の全体を示す平面図である。
【図７】図７は本発明の実施の形態１に係るコードレス灯火装置の全体を示す底面図である。
【図８】図８は本発明の実施の形態１に係るコードレス灯火装置の全体を示す右側面図である。
【図９】図９は本発明の実施の形態１に係るコードレス灯火装置の全体を示す左側面図である。
【図１０】図１０は本発明の実施の形態１に係るコードレス灯火装置の電気回路構成を示す回路図である。
【図１１】図１１は本発明の実施の形態２に係るコードレス灯火装置において本体ケースを取り外して内部構造を示す正面図である。
【図１２】図１２は本発明の実施の形態３に係るコードレス灯火装置において本体ケースを取り外して内部構造を示す正面図である。
【発明を実施するための形態】
【００１４】
以下、本発明を実施するための形態（以下、実施の形態という）を説明する。なお、各実施の形態を通じ、同一の部材、要素または部分には同一の符号を付して、その説明を省略する。
【００１５】
実施の形態１
実施の形態１に係るコードレス灯火装置は、照明対象物としての提灯の光源設置部である基台（業界で「つば」または「ろくろ」と呼ばれる部材）に下端部を設置されて上方に延びる全体形状及び外観を有している。図１に示すように、コードレス灯火装置は、電池収容部１０、ソケット部２０及び支持部３０を本体ケース４０の内部に収容した構成を有している。実施の形態１に係るコードレス灯火装置は、いわゆる大内行灯と呼ばれる下置台型乃至立脚型の提灯の基台の中央に上方に延びるよう着脱自在に取り付けて立設され、火袋の内部から照明を行うものである。なお、この立脚型の提灯は、３本の脚をツバやロクロと呼ばれる基台の下面側に取り付けて支持すると共に、基台の上面側に２本の支柱を立設して火袋を支持するものである。或いは、実施の形態１に係るコードレス灯火装置は、吊り下げ型の提灯の下輪の基台の中央に上方に延びるよう着脱自在に取り付けたり、祭り提灯や弓針提灯等の手持ち型の提灯の下輪の基台の中央に上方に延びるよう着脱自在に取り付けたりする等、各種の提灯用のコードレス灯火装置として、基台に着脱自在に立設することができる。
【００１６】
［電池収容部１０］
図２に示すように、電池収容部１０は、上下一対の円盤状の取付部１１及び取付部１１を、上下方向に所定間隔（電池としての乾電池Ｂの高さ寸法より若干大きい間隔）を置いて、同軸状に、かつ、互いに平行となるよう配置した状態で、細い棒状または小径円柱状の支持棒１２により連結することにより、収容空間を形成している。図３に示すように、支持棒１２は、上下の取付部１１間に３本配設され、取付部１１の円周方向に一定角度間隔（１２０度間隔）をおいて、取付部１１の中心の周りに配置されている。これにより、３本の支持棒１２が、正三角形の頂点に配置されたような形態で、上下の取付部１１間を連結し、上下の取付部１１を三点支持により互いに平行となるよう固定している。また、上下の取付部１１間には、３個の保持部１３，１４，１５が介装して固定され、本体ケース４０内を本体ケース４０と同軸状に延びている。保持部１３，１４，１５は、同一の構成であり、それぞれ、乾電池Ｂの高さに相当する高さ（前記上下の取付部１１間の間隔と同一の高さ寸法）の略半円筒状をなしている。詳細には、３個の保持部１３，１４，１５は、上下の取付部１１間に、円周方向に一定角度間隔（即ち、１２０度間隔）を置いて配置されている。このとき、保持部１３，１４，１５は、前記３本の支持棒１２と干渉しない位置、正確には、取付部１１の円周方向に支持棒１２と所定角度間隔（６０度）だけ位相をずらした位置に配置されている。また、各保持部１３，１４，１５は、上下の取付部１１間の軸心に沿って当該軸心の外側を上下方向に延び、互いに平行となっている。更に、保持部１３，１４，１５の高さ方向中央部には、それぞれ、切欠１３ａ，１４ａ，１５ａが形成されている。切欠１３ａ，１４ａ，１５ａは、側面視で略円弧状をなし、各保持部１３，１４，１５の左右両側（一対の側壁部分）にそれぞれ形成されている。また、保持部１３，１４，１５は、上下の取付部１１間の収容空間の外部に向かって面するよう（即ち、収容部の中心とは反対側に向かって面するよう）取付部１１間に固定されている。これにより、３個の保持部１３，１４，１５の各々の内部に、１本の乾電池Ｂを半径方向の外側から押し込んで挿入し、収容保持できるようになっており、このとき、各保持部１３，１４，１５の切欠１３ａ，１４ａ，１５ａにより乾電池Ｂの挿入をより円滑に行うことができる。
【００１７】
保持部１３，１４，１５の内部空間の上端及び下端には、それぞれ、正極及び負極（または負極及び正極）の電極端子として、上側端子１６及び下側端子１７が固着されている。上側端子１６及び下側端子は、各保持部１３，１４，１５の上端面の中心部及び下端面の中心部にそれぞれ固着され、各保持部１３，１４，１５内に乾電池Ｂを収容保持したときに、上側端子１６が乾電池Ｂの上端の電極端子に圧接して電気的に接続すると共に、下側端子１７が乾電池Ｂの下端の電極端子に圧接して電気的に接続するようになっている。ここで、保持部１３，１４，１５の上側端子１６及び下側端子１７は、保持部１３，１４，１５に収容した３個の乾電池Ｂを直列接続するよう、その極性が設定されている。即ち、保持部１３，１４，１５に収容した３個の乾電池Ｂを直列接続するように、保持部１３，１４，１５の上側端子１６及び下側端子１７の極性（正極とするか負極とするか）が設定されている。
【００１８】
［ソケット部２０］
ソケット部２０は、電池収容部１０の上側の取付部１１の上面から上方に同軸状となるよう所定高さで突出している。ソケット部２０は、上端に向かって外方に拡径するテーパー状の杯形状の外形を有し、下端が取付部１１の中央部に固定されている。ソケット部２０の外径（上端付近の最膨出部分の直径）は、電池収容部１０の取付部１１の外径より若干小さな直径となっている。ソケット部２０は、上端部の円形の開口状となるキャップ取付部２１を形成している。キャップ取付部２１は、所定直径の雌螺子状をなし、ソケット部２０の軸心に沿って延設されている。また、図４及び図５に示すように、ソケット部２０は、内部の中央にソケット口２２を同軸状に形成している。ソケット口２２は、内部空間の下面（底面）に一方の電極（正極または負極であって、通常は正極）を構成する端子２３を配設する共に、周壁の内周面に他方の電極（負極または正極であって、通常は負極）を構成する端子２４を配設している。ソケット口２２には、発光素子としての発光ダイオード（ＬＥＤ）７０が螺入により装着され、発光ダイオード７０の下端に配設した一方の電極（正極または負極であって、通常は正極）を構成する端子７１が、ソケット口２２内の一方の端子２３と電気的に接続すると共に、発光ダイオード７０の螺合部の外周面に配設した他方の電極（負極または正極であって、通常は負極）を構成する端子７２が、ソケット口２２内の他方の端子２４と電気的に接続するようになっている。ソケット部２０の外壁とソケット口２２との間は中空空間となっている。そして、電池収容部１０の保持部１３，１４，１５のうち、いずれか一つの保持部１３，１４，１５（例えば保持部１３）の上側端子１６が、ソケット口２２内の一方の電極端子２３に配線２５により電気的に接続されると共に、他のいずれか一つの保持部１３，１４，１５（例えば保持部１４）の上側端子１６が、ソケット口２２内の他方の電極端子２４に配線２５により電気的に接続されている。また、残りの一つの保持部（例えば保持部１５）の上側端子１６は、反対の極性となる保持部１３，１４の上側端子１６と配線２５により電気的に接続されている。
【００１９】
［支持部３０］
支持部３０は、電池収容部１０の下側の取付部１１の下面から下方に同軸状に突出する所定高さの有底円筒状をなし、上端が取付部１１に固定されている。支持部３０の外径は、電池収容部１０の取付部１１の外径より若干小さな直径となっている。また、支持部３０の内部は中空空間とされている。支持部３０の内部空間には、回路部３１が配設され、回路部３１の下面には、支持部３０の軸心上に同軸状に位置するよう、スイッチ部３２が配置されている。回路部３１は、制限抵抗等の電気・電子部品を例えば基盤等の支持体に実装したものであり、電池収容部１０の保持部１３，１４，１５の下側端子１７に、それぞれ、配線３３を介して電気的に接続されている。ここで、前記保持部１３，１４，１５の下側端子１７は、上記のとおり、保持部１３，１４，１５に収容した３個の乾電池Ｂを直列接続するようにそれぞれの極性が設定される。
【００２０】
［配線経路］
ここで、保持部１３，１４，１５の下側端子１７と上側端子間１６とソケット口２２の端子２３，２４との間の相互の配線経路の一例について説明する。まず、例えば、３個の保持部１３，１４，１５の上側端子１６のうちの１つを正極とした場合、残りの２つの上側端子１６を負極とする。例えば、保持部１３の上側端子１６を正極とし、保持部１４の上側端子１６を負極とし、保持部１５の上側端子１６を負極とする。そして、ソケット部２０のソケット口２２の周辺の中空空間内で、保持部１３の上側端子１６（正極）をソケット口２２において正極とした一方の端子２３に配線２５により接続し、保持部１５の上側端子１６（負極）をソケット口２２において負極とした他方の端子２４に配線２５により接続する。一方、この場合、３個の保持部１３，１４，１５の下側端子１７のうちの２つが正極となり、残りの１つの下側端子１７が負極となる。即ち、保持部１３の下側端子１７が負極となり、保持部１４の下側端子１７正極となり、保持部１５の下側端子１７が正極となる。そして、支持部３０の内部中空空間内で、保持部１３の下側端子１７（負極）を保持部１４の下側端子１７（正極）に配線３３により接続する。更に、保持部１５の下側端子１７（正極）には別の配線３３の一端を接続し、その配線の他端を、３個の保持部１３，１４，１５の内面間に形成される中空空間（電池収容部１０の軸心を通る中空空間）を通して、ソケット部２０の中空空間内に導き、残りの電極である保持部１４の上側端子１６（負極）に接続する。これにより、ソケット口２２の一方の端子２３（正極）→保持部１３の上側端子１６（正極）→保持部１３の下側端子１７（負極）→保持部１４の下側端子１７（正極）→保持部１４の上側端子１６（負極）→保持部１５の下側端子１７（正極）→保持部１５の上側端子１６（負極）→ソケット口２２の他方の端子２３（負極）へと導通する一連の閉回路が構成される。そして、ソケット口２２に発光ダイオード７０を螺入により装着すると、発光ダイオード７０の一方の端子７１（この場合正極となる）とソケット口２２の一方の端子２３（正極）とが電気的に導通し、かつ、発光ダイオード７０の他方の端子７１（この場合負極となる）とソケット口２２の他方の端子２４（負極）とが電気的に導通し、発光ダイオード７０を含めた閉回路が形成される。なお、かかる閉回路の形成は、極性を上記と反対とする等、他の経路によっても構成可能である。
【００２１】
［回路部３１の接続］
回路部３１は、３個の保持部１３，１４，１５に収容保持して直列接続する３個の乾電池Ｂの電圧（４．５Ｖ）を、ソケット口２２に装着する発光ダイオード７０の定格電圧に応じて制限及び降圧するための制限抵抗を主要な電子部品として備えるものであり、前記制限抵抗が閉回路中の途中に電気的に接続（直列接続）されるよう、その両端の端子（正極側及び負極側）が、配線３３により、前記下側端子１７のうちの対応する２つの下側端子１７（負極及び正極）にそれぞれ接続される。このように、制限抵抗を含む回路部３１は、発光イオード７０が配設されるソケット部２０とは、電池収容部１０を間に挟んで、コードレス灯火装置全体の軸方向の反対側に配設される。更に、スイッチ部３２は、前記閉回路３１の導通（電源オン）及び遮断（電源オフ）を行うものであり、プッシュスイッチにより構成され、軸方向に押圧して往動したとき（プッシュ時）に電源オン動作をし、オン状態から再度軸方向に押圧して復動したとき（プッシュ戻り時）に電源オフ動作をするようになっている。
【００２２】
［本体ケース４０、固定部材５０、房掛部材６０］
前記本体ケース４０は、提灯の基台（図示略）への取付状態で基台から上方に延びる所定高さの円筒状をなし、実施の形態１のコードレス灯火装置の基部を構成している。本体ケース４０は、電池収容部１０、ソケット部２０及び支持部３０の全体を外側から包囲して覆うよう、円筒状のケース状乃至ハウジング状をなしている。本体ケース４０の高さは、同軸状となるよう上下方向に連続配置された電池収容部１０、ソケット部２０及び支持部３０の合計高さと同一とされ、本体ケース４０の上端面がソケット部２０の上端面と一致して面一となり、本体ケース４０の下端面が支持部３０の下端面と一致して面一となっている。一方、本体ケース４０の下端であって前記支持部３０の下面の中央には、雄螺子状の固定部材５０の上端が固定され、下方に向かって同軸状に所定の突出長で突出している。固定部材５０の突出長は、取付対象乃至光源設置部である提灯の基台の厚さに応じて設定され、基台の取付孔に挿通したときに、下端側の一部が基台の下面から突出する長さに設定されている。実施の形態１のコードレス灯火装置は、立脚型の提灯の基台に取り付け可能なよう、当該基台が比較的厚肉となることに対応して、固定部材５０も比較的大きい寸法（例えば、約３．５ｃｍ〜約４．５ｃｍ程度）の突出長となっている。固定部材５０の内部は軸方向に連続して延びる断面円形の中空空間となっており、当該中空空間には、小径の円柱状の操作部材５１が同軸状となるよう挿入して収容されている。操作部材５１は、固定部材５０の全長を延びるよう挿通され、固定部材５０内を軸方向の往復移動自在となっている。操作部材５１は、上端部を当接部５２としており、前記支持部３０内のスイッチ部３２と共に、プッシュ・プル型押しボタンスイッチを構成している。即ち、操作部材５１の下端を上方に押圧して固定部材５０内を軸方向に押し込む動作をすることにより、支持部３０に内装したコイルばね等によって、オルタネイト動作（位置保持動作、プッシュオン・プッシュオフ動作）が行われ、スイッチ部３２が電源オン動作及び電源オフ動作を交互に行うとともに、その動作状態を保持するようになっている。なお、固定部材５０には、房掛部材６０が螺合して装着されている。房掛部材６０は、提灯の下房を掛けて保持するものであり、固定部材５０に対して螺入または螺退することにより、固定部材５０に沿って上方または下方に移動するようになっている。
【００２３】
［発光ダイオード７０、レンズキャップ８０］
基部としての本体ケース４０の上端側には、発光素子としての発光ダイオード（ＬＥＤ）７０が配設されている。即ち、ソケット部２０のソケット口２１には、発光ダイオード７０が螺入して装着され、ソケット口２２及び回路部３１を介して、電池収容部１０内の３本の乾電池Ｂによる電源と電気的に接続している。また、ソケット部２０のキャップ取付部２１には、レンズキャップ８０が着脱自在に取り付けられ、発光ダイオード７０を外部から包囲した状態で完全に覆っている。レンズキャップ８０は、内側レンズ部８１の外側に外側レンズ部８２を同軸状に離間配置した２層レンズ構造となっている。レンズキャップ８０の内側レンズ部８１及び外側レンズ部８２は、共に、ソケット部２０及び発光ダイオード７０と同軸状に突出し、レンズキャップ８０は、ろうそくの炎部分と同様の外観（疑似形状）を有している。また、内側レンズ部８１は、上下方向に延びる多数の溝を外面に刻設したダイカット面を有すると共に、外側レンズ部８２は、水平方向（周方向）に周回して延びる多数の溝を外面に形成したダイカット面を有し、内側レンズ８１及び外側レンズ部８２により、発光ダイオード７０からの指向性を有する発光を多方向に拡散して、照明効率を向上するようになっている。
【００２４】
［回路構成］
次に、実施の形態１のコードレス灯火装置の回路構成について図１０にしたがって説明する。図１０の概略的な回路構成に示すように、３本の乾電池Ｂを直列接続した電源の両極端子間に、発光ダイオード７０の両極端子が電気的に接続（結線）されている。また、電源の一方の端子（図１０では正極）と発光ダイオードの一方の端子（図１０では正極）との間には、所定の抵抗値の制限抵抗Ｒが直列接続されている。なお、制限抵抗Ｒといしては、電源電圧（４．５Ｖ）と発光ダイオード７０の定格電圧及び定格電流に基づき、電流（Ａ）＝（電源電圧（Ｖ）−順方向電圧（ＶＦ））／抵抗値（Ω）の式により計算した抵抗値の抵抗を使用するが、固定抵抗を使用してもよく、或いは、抵抗値を調節した可変抵抗を使用してもよい。特に、この抵抗Ｒは、電源電圧（４．５Ｖ）を発光ダイオード７０の定格電圧に相当する電圧まで降圧するものであるため、抵抗Ｒの抵抗値の設定により、発光ダイオード７０への印加電圧は、使用可能な発光ダイオードの定格電圧に応じて種々の値（上記高輝度発光ダイオードを使用する場合は、３．２Ｖ以上の値であって、極端場合は３．２Ｖ〜４．５Ｖの範囲内の値）とすることができる。一方、電源の他方の端子（図１０では負極）と発光ダイオードの他方の端子（図１０では負極）との間には、前記スイッチ部３２が直列接続され、スイッチ部３２のオン・オフ動作により、電源からの（降圧済みの）電圧及び電流を発光ダイオード７０に供給・遮断して、発光ダイオード７０を発光駆動・発光停止するようになっている。なお、抵抗Ｒは本実施の形態の電圧制限手段を構成するが、電圧制限手段としては、抵抗（抵抗器）以外にも、電圧制限ＬＥＤ等の他の電子部品を使用してもよい。
【００２５】
ここで、発光ダイオード７０としては、提灯の火袋等の照明対象物に必要な照度等に応じて所定の定格電圧及び所定の定格電流を有する任意のものを使用することができるが、例えば、一般的なサイズの提灯用としては、高輝度発光ダイオードまたは超高輝度発光ダイオード（スーパーＬＥＤとも呼ばれるため、以下、「スーパーＬＥＤ」と称することがある。）を使用することが好ましい。また、発光ダイオードとして各種の単色ＬＥＤを使用するほか、高輝度発光ダイオードとしては、赤色（Ｒ）、緑色（Ｇ）及び青色（Ｂ）の３原色のＬＥＤチップのうちの任意の２色を単一のパッケージに実装した２チップＬＥＤを使用したり、３原色のＬＥＤを単一のパッケージに実装した３チップＬＥＤ（３チップ白色ＬＥＤ）を使用したり、青紫色ＬＥＤチップによりＲ，Ｇ，Ｂ発光の蛍光体を励起するタイプの白色ＬＥＤを使用することもできるが、青色ＬＥＤチップを黄色蛍光体と組み合わせた疑似白色ＬＥＤを使用することが、発光効率（ｌｍ／Ｗ）や照明色（演色性）等の点から好ましい。また、ＬＥＤの種類としては、チップ型（表面実装型）ＬＥＤ、砲弾型（丸型）ＬＥＤ等、各種のＬＥＤを使用することができる。ここで、一般の高輝度発光ダイオードの定格電圧（動作電圧）は約３．０Ｖであるが、緑色ＬＥＤや青色ＬＥＤを使用する発光ダイオード（例えば、前記疑似白色ＬＥＤ）は、高い発光効率を有して高輝度照明を可能とする一方で、動作電圧が３Ｖを超える電圧（約３．２Ｖ〜約３．５Ｖの範囲）となってより高い定格電圧を有することになる。また、上記青色ＬＥＤチップを黄色蛍光体と組み合わせた疑似白色ＬＥＤは、定格電圧が３．２Ｖ〜３．３Ｖの範囲となる。
【００２６】
そこで、実施の形態１のコードレス灯火装置は、特に青色ＬＥＤをベースとした発光ダイオード７０の安定的かつ高効率の発光を可能とすべく、前記電池収容部１０の保持部１３，１４，１５に、３本の電圧１．５Ｖの乾電池Ｂをそれぞれ収容保持すると共に、それら３本の乾電池Ｂを回路部３１により直列接続して、４．５Ｖの印加電圧を有する電源を構成している。また、電源電圧が４．５Ｖのままでは、発光ダイオード７０の輝度は向上する一方で負荷が過大になって性能低下や寿命短縮の原因となる可能性があるため、回路部３１に制限抵抗を直列接続して、電源電圧４．５Ｖを発光ダイオード７０の定格電圧に相当する電圧（３．２Ｖ〜３．３Ｖの範囲内の電圧）に制限及び降圧して、回路部３１から配線３３及び配線２５を介して、発光ダイオード７０に印加するようにしている。これにより、発光ダイオード７０による発光効率を損なうことなく高輝度発光が可能となり、かつ、発光ダイオード７０の寿命（発光時間）を延ばして長期にわたる安定した発光が可能となる。なお、定格電圧に「相当する電圧」とは、定格電圧と同一電圧以外に、電気回路においては実現できる電圧に多少のばらつきがあることから、一般的な電気回路で実質的に定格電圧として許容される範囲の電圧を含む意味である。これにより、発光ダイオード７０に対して、約３００ｍＡ〜約４００ｍＡの範囲の電流を供給することができ、発光ダイオード７０による高効率で高輝度の発光が可能となる。例えば、発光ダイオード７０に対して、定格上は、３．２Ｖ〜３．３Ｖの印加電圧で約３００ＭＡの電流を供給することができるが、本実施の形態のコードレス灯火装置によれば、上記構成を採用したことにより、３．２Ｖ〜３．３Ｖの印加電圧で約３５０ｍＡ〜約４００ｍＡ（典型的には３．３Ｖの印加電圧で約４００ｍＡ）の電流を供給して、非常に高効率で高輝度の発光を得ることができ、１５Ｗ〜２０Ｗの白熱電球と同等の発光効率及び輝度を得ることができる。一方、発光ダイオード７０として定格電圧が３．０Ｖ以下のもの（例えば、定格電圧３．０Ｖのもの）を使用する場合は、電池収容部１０には２本の１．５Ｖの乾電池Ｂを収容保持して直列接続すれば、定格電圧である３．０Ｖの電源を構成することができるが、この場合、発光ダイオード７０には、約１６０〜１７０ｍＡの範囲の電流（典型的には約１６０ｍＡの電流）を供給することができる。
【００２７】
［作用効果］
上記のように構成した実施の形態１のコードレス灯火装置は、提灯の基台（図示略）の中央の灯火装置用の取付孔に、固定部材５１を上方から挿通して、本体ケース４０の下面及び支持部３０の下面を基台の上面における取付孔の周縁部に密接して載置する。このとき、房掛部材６０は、螺退動作により固定部材５０の下端側に配置し（或いは、固定部材５０から取り外し）、基台の取付孔への挿入を妨げないようにする。次に、螺入動作により房掛部材６０を固定部材５０の上端側に移動して基台２０の下面における取付孔の周縁部に押圧し、支持部３０と房掛部材６０との間の挟持力により、電池収容部１０及びソケット部２０を内装する本体ケース４０を基台の上面から上方に垂直状態で突出するよう固定する。その後、提灯の基台に支柱及び火袋を取り付け、提灯の組み立てを完成する。このとき、コードレス灯火装置では、発光部位であるレンズキャップ８０の高さ位置が、その下端では、支持部３０の高さ、電池収容部１０の高さ及びソケット部２０の高さを合算した高さ位置になり、発光部位の高さ位置が、電池１本分の高さより若干大きい高さ（支持部３０とソケット部２０の高さ分大きい高さ）に収まっている。このため、提灯として近年普及率が増加している小型の提灯に適用した場合に、発光部となるレンズキャップ８０の高さ位置が、小型の提灯の火袋の高さ方向中央付近に位置することになる。したがって、実施の形態１のコードレス灯火装置では、上記のとおり、発光部の位置が火袋の高さ方向中央位置に収まるため、発光ダイオード７０の発光をレンズキャップ８０で万遍なく均一に拡散した拡散光を、火袋の容積内の中央部乃至中心位置（高さ方向中央及び半径方向中央）から四方八方に放射して火袋に照射することができ、火袋の照度を最大限に高めると共に、均一な照明を行うことができ、提灯として非常に見栄えのよい高級感のある発光及び照明を実現することができる。一方、従来のように２本の乾電池を上下に並べて直列接続したコードレス灯火装置の場合は、発光部の位置が電池２本分の高さ以上とならざるを得ないため、小型の提灯の場合は、火袋の高さ方向中央位置よりも相当上方の位置（火袋の上端付近の位置）で発光及び照明が行われ、火袋の上側部分だけが明るく、下側部分が暗い照明となってしまう。なお、本実施の形態では、支持部３０は短円筒状に形成されているために、コードレス灯火装置に占めるその高さの割合は小さく、また、ソケット部２０のコードレス灯火装置に占めるその高さの割合も小さいため、コードレス灯火装置全体の高さは、ほぼ、電池１本分の高さを若干超える高さ（少なくとも、電池２本分の高さに比べて大幅に小さい高さ）とすることができ、発光部の高さ位置を小型の提灯における火袋の高さ方向中央位置とすることが容易である。また、ソケット部２０や支持部３０の高さを増減調節することで、提灯の火袋のサイズに合わせて高さ調節も可能となる。即ち、本実施の形態では、コードレス灯火装置の高さ及び発光部の高さ位置を主に決定するのは、電池収容部１０の高さであり、この電池収容部１０の高さが、ほぼ電池１本分の高さ（電池より上側端子１６及び下側端子１７の厚み分だけ大きい高さ）となっているため、コードレス灯火装置全体の高さ及び発光部の高さ位置も、電池１本分の高さより若干大きい範囲に収めることができる。
【００２８】
また、電池収容部１０は、上記のように配置した３個の保持部１３，１４，１５に３本の乾電池Ｂを収容保持するため、３本の乾電池Ｂが、正三角形の頂点にそれぞれ配置した配置態様で収容保持されることになり、３本の乾電池Ｂの収容のための占有スペース（収容空間の容積）を最も少なくした状態で３本の乾電池Ｂを収容保持することができ、コードレス灯火装置の全体を大きくコンパクト化することができる。また、このようにコードレス灯火装置の全体の高さのみならず、放射方向におけるサイズをも小さく収めたことにより、全体のシルエットやプロポーション等を独特な見栄えの良いものとすることができ、コードレス灯火装置全体の外観的価値及び意匠的価値を大きく向上することができる。
【００２９】
また、ソケット部２０は、電池収容部１０の上端側に配設される一方で、支持部３０は、電池収容部１０の下端側に配設されて、ソケット部２０とは電池収容部１０を間に挟んでコードレス灯火装置全体の軸方向の反対側に配設される。したがって、制限抵抗Ｒを含む回路部３１は、発光ダイオード７０が配設されるソケット部２０とは、電池収容部１０を間に挟んでコードレス灯火装置全体の軸方向の反対側に配設されることになり、制限抵抗Ｒが発生する熱を支持部３０の内部空間で吸収冷却することができる。また、支持部３０内に若干の熱が残った場合でも、電池収容部１０の内部の収容空間でその熱を完全に吸収冷却することができるため、回路部３１からの熱がソケット部２０まで伝達することは全くない。したがって、３本の電池を直列接続して上記高輝度発光を行う場合でも、熱に弱い発光ダイオード７０への熱的影響を完全に解消することができ、発光ダイオード７０の本来の寿命を確保して長期にわたる良好な照明を行うことができる。
【００３０】
実施の形態２
図１１に示すように、実施の形態２に係るコードレス灯火装置は、ソケット部１２０及び固定部材１５０の構成が実施の形態１のコードレス灯火装置と異なるが、それ以外の構成は実施の形態１のコードレス灯火装置と同様である。即ち、ソケット部１２０は、電池収容部１０の上側の取付部１１の上面から上方に同軸状となるよう所定高さで突出している。ソケット部１２０の高さは、ソケット部２０の高さより大きい高さに設定されている。一方、本体ケース４０の高さは実施の形態と同一である。これにより、本体ケース４０の上端側の一定部分（電池収容部１０から上方に突出する部分）が、ソケット部１２０の下端側の一定部分（全長の下側半分程度の部分）を外部から完全に包囲して覆い隠すようになっている。なお、ソケット部１２０は、前記下端側の一定部分はほぼ円筒状乃至円柱状となっており、下端が取付部１１の中央部に固定されている。また、ソケット部１２０の上端側（本体ケース４０の上端から上方に突出する部分）は、ソケット部２０と同様、上端に向かって若干外方に拡径するテーパー状の杯形状の外形を有している。更に、ソケット部１２０の外径（上端付近の最膨出部分の直径）は、電池収容部１０の取付部１１の外径より若干小さな直径となっている。
【００３１】
一方、固定部材１５０は、雄螺子状をなし、本体ケース４０の下端であって支持部３０の下面の中央に上端が固定されて、下方に向かって同軸状に所定の突出長で突出している。固定部材１５０の突出長は、取付対象乃至光源設置部である提灯の基台の厚さに応じて設定され、基台の取付孔に挿通したときに、下端側の一部が基台の下面から突出する長さに設定されている。実施の形態２のコードレス灯火装置は、吊下型の提灯の基台に取り付け可能なよう、当該基台が比較的薄肉となることに対応して、固定部材５０も比較的小さい寸法（例えば、約１．５ｃｍ〜約２．５ｃｍ程度）の突出長となっている。固定部材１５０の内部は軸方向に連続して延びる断面円形の中空空間となっており、当該中空空間には、小径の円柱状の操作部材５１が同軸状となるよう挿入して収容されている。なお、操作部材５１の長さは、固定部材１５０の長さに合わせて実施の形態１の場合より短く設定されている。
【００３２】
このように構成した実施の形態２に係るコードレス灯火装置も、実施の形態１のコードレス灯火装置と同様にして提灯の基台に取り付けることにより、同様の作用効果を発揮するが、特に、実施の形態２に係るコードレス灯火装置は、実施の形態１の場合よりも大型の（高さの大きい）提灯に適用する。例えば、立脚型であっても中型の提灯や、高さ寸法が比較的大きくなる吊下型の提灯のうちの比較的小型の提灯に適用する。この場合、電池収容部１０の高さを一定とすると共に、ソケット部１２０の高さは、前記照明対象物としての提灯の火袋の高さに応じて、レンズキャップ８０の位置（即ち、発光部の位置）が提灯の基台から火袋の高さ方向中間位置となるような高さに設定される。これにより、前記高さ調節したソケット部１２０を電池収容部１０の上端に配設してソケット部１２０の高さを実施の形態１のソケット部２０の高さから変更する（増大する）ことにより、ソケット部１２０の設定高さによる高さ位置の調節によって、発光ダイオード７０の発光部の高さ位置が、提灯の火袋の高さ方向中間位置となる。
【００３３】
実施の形態３
図１２に示すように、実施の形態３に係るコードレス灯火装置は、ソケット部２２０の構成が実施の形態１及び実施の形態２のコードレス灯火装置と異なるが、それ以外の構成は実施の形態１のコードレス灯火装置と同様である。即ち、ソケット部２２０は、電池収容部１０の上側の取付部１１の上面から上方に同軸状となるよう所定高さで突出している。ソケット部２２０の高さは、ソケット部２０の高さ（最小高さ）及びソケット部１２０の高さ（中間高さ）より更に大きい高さ（最大高さ）に設定されている。一方、本体ケース４０の高さは実施の形態と同一である。これにより、本体ケース４０の上端側の一定部分（電池収容部１０から上方に突出する部分）が、ソケット部２２０の下端側の一定部分（全長の下側半分程度の部分）を外部から完全に包囲して覆い隠すようになっている。なお、ソケット部２２０は、前記下端側の一定部分から中間部分はほぼ円筒状乃至円柱状となっており、下端が取付部１１の中央部に固定されている。また、ソケット部２２０の上端側部分は、ソケット部２０と同様、上端に向かって若干外方に拡径するテーパー状の杯形状の外形を有している。更に、ソケット部２２０の外径（上端付近の最膨出部分の直径）は、電池収容部１０の取付部１１の外径より若干小さな直径となっている。なお、実施の形態３では、実施の形態２の固定部材１５０が支持部３０の下端から突出している。
【００３４】
このように構成した実施の形態３に係るコードレス灯火装置も、実施の形態１のコードレス灯火装置と同様にして提灯の基台に取り付けることにより、同様の作用効果を発揮するが、特に、実施の形態３に係るコードレス灯火装置は、実施の形態２の場合よりも更に大型の（高さの大きい）提灯に適用する。例えば、立脚型であっても大型の提灯や、吊下型の提灯のうちの大型の提灯に適用する。この場合、電池収容部１０の高さを一定とすると共に、ソケット部２２０の高さは、前記照明対象物としての提灯の火袋の高さに応じて、レンズキャップ８０の位置が提灯の基台から火袋の高さ方向中間位置となるような高さに設定される。これにより、前記高さ調節したソケット部２２０を電池収容部１０の上端に配設してソケット部２２０の高さを実施の形態２のソケット部１２０の高さから更に変更する（増大する）ことにより、ソケット部２２０の設定高さによる高さ位置の調節によって、発光ダイオード７０の発光部の高さ位置が、提灯の火袋の高さ方向中間位置となる。なお、実施の形態１及び実施の形態２の場合も含め、提灯の火袋の高さ方向中間位置は、上下方向にある程度の幅をもっているため、ソケット部２０，１２０，２２０の高さ設定による発光部の高さ位置も、かかるある程度幅を持った範囲内に収まるようにすればよい。一方、固定部材１５０の高さ（突出長）は、上記のように、光源設置部としての提灯の基台の厚さに応じて設定され、かかる高さ調節乃至高さ設定をした固定部材１５０を基台に固定することにより、本体ケース４０を基台から上方に立設し、発光ダイオード７０の発光部の高さ位置が、火袋の高さ方向中間位置となるようになっている。
【００３５】
［発明の範囲］
ところで、本発明の電池収容部は、１本の乾電池に相当する高さ（即ち、１本の電池の高さ（軸長）より電池収容部側の正負の両電極の厚み分だけ大きい高さ）を有して、基部内を上下方向（軸方向）に延びる収容空間と、前記複数本の電池を互いに平行な状態で軸方向に延びるよう配置すると共に、複数本の電池を収容空間で互いに隣接するよう当該収容空間の周方向及び／または放射方向に並設した状態で保持するものであればよい。例えば、上記実施の形態では、電池収容部１０は、３本の乾電池Ｂを軸方向に互いに平行に延びるよう収容保持すると共に、当該電池収容部１０の軸芯位置から放射方向に同一間隔だけ離間した３点位置で正三角形の頂点に位置するよう前記３本の乾電池Ｂをそれぞれ配置しているが、例えば、３本の乾電池Ｂを正三角形以外の三角形の頂点に位置するよう配置した状態で収容保持する等、その他の構成とすることができる。また、電子収容部は、１本の前記電池に相当する高さを有して基部内を上下方向に延びる収容空間と、複数本の電池を収容空間で互いに隣接するよう当該収容空間の周方向及び／または放射方向に並設した状態で保持する保持部とを備える限りにおいて、他の本数の複数本の電池を収容保持する構成とすることができる。例えば、発光素子の定格電圧が３．０Ｖ以下の場合は、電池収容部は、２本の電池を収容保持する構成とすることができ、また、発光素子の定格電圧が４．５Ｖを超える場合は、電池収容部は、総電圧が定格電圧以上となるような本数（４本以上）の電池を収容保持する構成とすることができる。更に、発光ダイオードとしては、青色ＬＥＤをベースとするものを使用することが発光効率や高輝度発光の点で好ましいため、定格電圧は３．１Ｖ〜３．５Ｖ程度となるが、これ以外に、定格電圧が２．８Ｖ〜３．５Ｖの範囲のＬＥＤに適用することもできる。即ち、本発明の発光ダイオードは、好ましくは、定格電圧が３．０Ｖ〜３．３Ｖの範囲のものであり、更に好ましくは、定格電圧が３．１Ｖ〜３．２Ｖまたは３，２Ｖ〜３．３Ｖの範囲のものである。また、本発明は、発光素子として発光ダイオードを使用することが好ましいが、乾電池を電源として使用した場合でも、発光効率が高く、かつ、長期間にわたる照明を行えるものであれば、その他の発光素子を使用することもできる。
【００３６】
また、本発明では、上記ソケット部２０，１２０，２２０のように、ソケット部として、所定高さの第１のソケット部２０と、第１のソケット部２０より大きい高さの第２のソケット部１２０と、第２のソケット部１２０より大きい高さの第３のソケット部２２０とを用意することが好適である。この場合、基部としての本体ケース４０は、支持部３０の下端から電池収容部１０の上端までの全体を外部から覆うと共に、第１のソケット部２０の上端までの全体を外部から覆う高さ寸法を有する筒状とすることができる。即ち、本体ケース４０は、支持部２０の下端から第１のソケット部２０の上端までの高さと同一の高さ寸法を有する筒状とすることができる。また、本体ケース４０は、ソケット部として第２のソケット部１２０または第３のソケット部２２０を電池収容部１０の上端に配設した場合は、第２のソケット部１２０または第３のソケット部２２０の少なくとも下端側の一部の高さ部分を外部から覆うことができる。
【産業上の利用可能性】
【００３７】
本発明のコードレス灯火装置は、提灯用の光源や仏壇内に配置される光源等として好適に使用することができるが、内部に電源としての複数本の電池を内蔵して直列接続すると共に、上端部に発光素子を配設して当該電源と電気的に接続し、当該電源により当該発光素子を発光駆動するものであれば、任意のコードレス灯火装置に具体化することができる。即ち、本発明は、典型的には、上記実施の形態で述べたように、提灯の火袋を内部から照明する提灯用のコードレス灯火装置として好適に使用することができるが、仏壇用のコードレス灯火装置に適用することも可能である。更に、本発明は、上記したような一般的な提灯のほか、玩具用提灯や、人形のぼんぼり等のコードレス灯火装置に適用することもできる。即ち、本発明のコードレス灯火装置は、特に、下端部を提灯の基台等の光源設置部に着脱自在に固定することにより、発光部の高さ位置を所望の高さ位置（照明対象物としての火袋等において最も好ましい照明態様が得られる高さ位置）とすることができる点に優位性を有しており、かかる目的を達成する上で共通点のあるものであれば、任意の照明対象物のコードレス灯火装置として適用することができる。即ち、本発明は、光源の高さ位置（発光部の高さ位置）を照明対象物に応じて調節する必要がある任意のコードレス灯火装置として具体化することができる。
【符号の説明】
【００３８】
１０：電池収容部、１３，１４，１５：保持部、２０：ソケット部（第１のソケット部）
３１：回路部（電気回路）、４０：本体ケース（基部）、５０：固定部材
７０：発光ダイオード（発光素子）
１２０：ソケット部（第２のソケット部）、１５０：固定部材
２２０：ソケット部（第３のソケット部）
Ｂ：乾電池（電池）、Ｒ：制限抵抗（電圧制限手段）
【図１】
2011165482.tif 000003
【図２】
2011165482.tif 000004
【図３】
2011165482.tif 000005
【図４】
2011165482.tif 000006
【図５】
2011165482.tif 000007
【図６】
2011165482.tif 000008
【図７】
2011165482.tif 000009
【図８】
2011165482.tif 000010
【図９】
2011165482.tif 000011
【図１０】
2011165482.tif 000012
【図１１】
2011165482.tif 000013
【図１２】
2011165482.tif 000014